(57)【要約】【課題】  容器本体を移動しないように支えることなく差込方式の注射針を注射器本体から抜取る操作簡単な注射針用廃棄容器を提供する。【解決手段】  容器本体１の蓋２に、注射器本体Ａ１を残して容器本体１内に挿し入れる針外し孔７を開孔し、該針外し孔７から容器本体１内に挿入される注射器本体Ａの下端縁が蓋２表面に係合するように同注射器本体Ａを下向きに回動させた際、前記係合部を支点Ｂ、蓋２裏面に係合するハブ鍔部ａ３’を作用点Ｃに作用するモーメントのベクトルでハブａ３を注射器本体Ａ１下端のハブ差込筒ａ２から抜取るように構成する。【選択図】図２
2006014855.tif 000002
【特許請求の範囲】
【請求項１】
容器本体の蓋に、注射器本体を残して容器本体内に挿し入れる針外し孔を開孔し、該針外し孔から容器本体内に注射針を挿し入れる注射器本体の下端縁が蓋表面に係合するように同注射器本体を下向きに回動させた際、前記係合部を支点、蓋裏面に係合するハブ鍔部を作用点とするモーメントのベクトルで注射針を注射器本体下端のハブ差込筒から抜取るように構成していることを特徴とする注射針用廃棄容器。
【請求項２】
容器本体の蓋に、少なくとも注射針基端のハブを容器本体内に挿し入れ可能とする大きさを有する注射器挿入孔と、その注射器挿入孔に連通して開孔された針外し横孔とを備え、前記針外し横孔は、注射器本体下端とハブとの間で露呈するハブ差込筒部分をスライドガイド可能とする程度の小幅に形成し、前記針外し横孔から前記ハブ差込筒部分がスライド挿入される注射器本体の下端縁を蓋表面に係合するように同注射器本体を前記針外し横孔上方で交差する方向に下向きに回動した際、前記係合部を支点、蓋裏面に係合するハブ鍔部を作用点とするモーメントのベクトルで注射針を前記ハブ差込筒から抜取るように構成していることを特徴とする注射針用廃棄容器。
【請求項３】
前記注射器挿入孔に代えて、注射器本体を残して容器本体内に挿し入れる針外し孔を容器本体の蓋に開孔し、該針外し孔から容器本体内に注射針を挿し入れる注射器本体の下端縁が蓋表面に係合するように同注射器本体を下向きに回動させた際、前記係合部を支点、蓋裏面に係合するハブ鍔部を作用点とするモーメントのベクトルで注射針を注射器本体下端のハブ差込筒から抜取るように構成していることを特徴とする請求項２記載の注射針用廃棄容器。
【請求項４】
前記針外し孔が真円からなる孔であることを特徴とする請求項１または３記載の注射針用廃棄容器。
【請求項５】
前記容器本体の蓋が斜面で構成されていることを特徴とする請求項１〜４いずれか１項記載の注射針用廃棄容器。
【発明の詳細な説明】
【技術分野】
【０００１】
本発明は使用済の注射器本体に対して差込式に設けられている注射針を抜取る注射針用廃棄容器に関するものである。
【背景技術】
【０００２】
従来、病院等では、感染症防止のために使用済の注射器は注射器本体と注射針とを再利用できないように分別して廃棄するのが望ましいとされており、その際、注射針は注射器本体から抜き取って容器に収容するようにしてある。
この種の注射針用廃棄容器には、様々な構成のものが知られている。
その例としては、容器本体の蓋に開孔した円筒状穴に連通してコ字形状孔、Ｕ字形状孔を開孔し、そのＵ字形状孔の孔下縁にその孔先端方向に向かって漸増する傾斜面を形成し、円筒状孔にいったん差し込まれる注射器基端のハブと注射器本体との間で露呈するハブ差込筒部分をＵ字形状孔にスライドさせて、漸増する傾斜面でハブを強制的に押下げて注射針をハブ差込筒から抜取り、容器本体内に落下させる構造（例えば特許文献１参照）や、容器本体の蓋に形成した切欠部に、注射器基端のハブと注射器本体下端との間で露呈するハブ差込筒部分を差し込んで、注射器本体を上方に引っ張ることでその切欠部縁を固定壁にして注射針を抜取り、容器本体内に落下させる構造（例えば特許文献２）に構成して、注射器のスライド力を蓋の肉厚の漸増で下向きな力に変換して注射針を注射器本体から抜取ったり、蓋に注射器引き抜き時の固定壁を設けて、その固定壁で注射針を抜取るようになっているのが主流になっている。
【０００３】
しかしながら、前記スライド方式は、注射器をスライドさせて、その注射器本体と注射針との間の隙間を漸増する傾斜面に楔状に喰込ませて、その喰込み力を利用して注射針を押下げるものであるから、喰込み力が生じるように容器本体を手で支えて移動しないようにする必要がある。
また、引き抜き方式においても、容器本体を手で押さえて、引き抜き力で容器本体が浮き上がらないようにしなければならない。
そのため、片手で容器本体を固定しての注射器操作になり、注射針の抜取る作業が面倒なものであった。
【特許文献１】実開平７−９３３５号公報
【特許文献２】特開２００３−２８５８５６号公報
【発明の開示】
【発明が解決しようとする課題】
【０００４】
本発明は上記従来事情に鑑みてなされたもので、その目的とする処は、容器本体を移動しないように支えることなく差込方式の注射針を注射器本体から抜取る操作簡単な注射針用廃棄容器を提供することにある。
【課題を解決するための手段】
【０００５】
前記課題を解決するために講じた技術的手段は、容器本体の蓋に、注射器本体を残して容器本体内に挿し入れる針外し孔を開孔し、該針外し孔から容器本体内に注射針を挿し入れる注射器本体の下端縁が蓋表面に係合するように同注射器本体を下向きに回動させた際、前記係合部を支点、蓋裏面に係合するハブ鍔部を作用点とするモーメントのベクトルで注射針を注射器本体下端のハブ差込筒から抜取るように構成していることを特徴とする注射針用廃棄容器（請求項１）。
前記針外し孔は、前記ハブ鍔部よりも大形とするが、若干大形に開孔するのが好適なものである。
また、容器本体の蓋に、少なくとも注射針基端のハブを容器本体内に挿し入れ可能とする大きさを有する注射器挿入孔と、その注射器挿入孔に連通して開孔された針外し横孔とを備え、前記針外し横孔は、注射器本体下端とハブとの間で露呈するハブ差込筒部分をスライドガイド可能とする程度の小幅に形成し、前記針外し横孔から前記ハブ差込筒部分がスライド挿入される注射器本体の下端縁を蓋表面に係合するように同注射器本体を前記針外し横孔上方で交差する方向に下向きに回動した際、前記係合部を支点、蓋裏面に係合するハブ鍔部を作用点とするモーメントのベクトルで注射針を前記ハブ差込筒から抜取るように構成している場合も有効なものである（請求項２）。
前記注射器挿入孔は、注射針のハブ鍔部を挿入できる径を最低限とする任意な大きさに形成する。
【０００６】
以上の手段よれば、請求項１にあっては、注射器本体を残して注射針基端のハブを針外し孔から挿し入れた状態で注射器本体を下向きに回動させるだけで、作用点に生じるモーメントのベクトル（下向きベクトル）で注射針をハブ差込筒から抜取る。
また、請求項２にあっては、注射器挿入孔に注射器基端のハブを挿し入れ、注射器本体下端とハブ鍔部との間のハブ差込筒部分を小幅な針外し横孔にスライドさせ、注射器本体を針外し横孔上方を交差する方向に下向きに回動させることで、その作用点に生じるモーメントのベクトル（下向きベクトル）で注射針をハブ差込筒から抜取る。
【０００７】
しかも、前記注射器挿入孔に代えて、注射器本体を残して容器本体内に挿し入れる針外し孔を容器本体の蓋に開孔し、該針外し孔から注射器を容器本体内に挿し入れる注射器本体の下端縁が蓋表面に係合するように同注射器本体を下向きに回動させた際、前記係合部を支点、蓋裏面に係合するハブ鍔部を作用点とするモーメントのベクトルで注射針を注射器本体下端のハブ差込筒から抜取るように構成していると、より有効なものである（請求項３）。
【０００８】
以上の手段によれば、請求項１、請求項２双方の手法を使用して注射器本体下端のハブ差込筒から注射針を抜取る。
【０００９】
そして、針外し孔が真円からなる孔であると、３６０度任意な方向からの注射器本体の下向き回動で注射針を抜取れるし（請求項４）、また容器本体の蓋が斜面で構成されていると、自然な作業姿勢で注射器をその針外し孔や注射器挿入孔に挿し入れる上で好適なものである（請求項５）。
【発明の効果】
【００１０】
本発明は以上のように構成したから下記の利点がある。
（請求項１）針外し孔に注射器本体を残して容器本体内に挿し入れた状態で、注射針本体を下向きに回動させる手法で、作用点に生じるモーメントのベクトル（下向きベクトル）で注射器本体のハブ差込筒から注射針の抜取りを行なうものであり、梃子の原理を利用するものであるから、その力は軽いもので良く、容器本体を片手で支えずに注射針の抜取り作業が行なえ、注射針の抜取りが非常に簡単で、特に注射器本体がハブ鍔部よりも大径な注射器からの注射針の抜取りに対して有効である。
【００１１】
（請求項２）いったん注射器挿入孔に挿し入れた状態でそれに連通する針外し横孔に注射器下端とハブの間で露呈するハブ差込筒部分をスライドさせて、注射針本体をその針外し横孔上方で交差するように下向きに回動させる手法で、容器本体を支えることなく注射針の抜取りが軽い力で簡単に行なえ、特にハブ鍔部と注射器本体とが同等の大きさまたは若干小形な注射器から注射針を抜取ることができる。
【００１２】
（請求項３）そして、請求項１の針外し孔と、請求項２記載の針外し横孔とを連通して形成していると、ハブ鍔部に対して注射器本体が大径の注射器は、針外し孔を、またハブ鍔部と注射器本体が同等の大きさまたは若干小形な注射器の場合には、針外し横孔を使用して、注射針の抜取りが行なえ、非常に便利である。
【００１３】
（請求項４）また、前記針外し孔が真円であるので、３６０度、どの方向から下向きに回動しても、注射針を抜取り落下させる利便性を達成できる。
【００１４】
（請求項５）しかも、容器本体の蓋が斜面であると、例えば椅子に座る自然な作業姿勢のまま注射器を掴む手を伸ばすことによって針外し孔や注射器挿入孔にその注射針を挿入できるから、注射針の抜取り作業を一層簡単なものにすることができる。
【発明を実施するための最良の形態】
【００１５】
次に本発明注射針用廃棄容器の実施の数例を図面に基づいて説明すると、図１〜図４は、その第１の実施の形態を、図５は第２の実施の形態を、図６は第３の実施の形態を、図７は第４の実施の形態を、図８は第５の実施の形態を各々示している。
【実施例１】
【００１６】
容器本体１は、図２に示すように開放部若干下位の外面にアンダーカット１１を設け、該アンダーカット１１に内蓋２の側壁部１２下端から内向きに突設した掛止突段部２２を掛止して抜取り不能とし、該内蓋２に対して外蓋３を回転可能に設けた二重蓋構造になっている。
また、前記外蓋３は、図２に示すように内蓋２の中央部に抜取り不能に掛止した掛止部４を中心に回転可能に組み付けられており、内蓋２の略一半部に対応して窓部５を開孔し、その側壁部１３と、前記内蓋２の側壁部１２との間に螺合部６を形成すると共に、側壁部１３下端内面に、その螺合による緊締時に内蓋２側壁部１２外面に突設した掛合突起３２を乗り越えて解除不能（逆回転不能）に掛止する掛止爪２３を形成した構成になっている。
【００１７】
前記内蓋２には、外蓋３の窓部５に臨んで注射器Ａの注射針ａ１を外す針外し孔７と、針外し横孔８とが連通して開孔されている。
【００１８】
注射器Ａは、図１、図２等に示すように注射器本体Ａ１下端から先細りテーパー状をもって突設するハブ差込筒ａ２を、注射針ａ１基端のハブａ３に形成している差込孔ａ２”に差込んで嵌合することによって注射器本体Ａ１に注射針ａ１を組み付け、ハブａ３の注射器本体Ａ１側の端部にハブ鍔部ａ３’を周設する今日周知の差込式のものである。
【００１９】
前記針外し孔７は、注射器本体Ａ１がハブ鍔部ａ３’よりも大径な注射器Ａからの注射針ａ１の抜取り用として、針外し横孔８は、注射器本体Ａ１がハブ鍔部ａ３’と同等の大きさまたは若干小形な注射器Ａからの注射針ａ１の抜取り用として使用可能になっている。
【００２０】
前記針外し孔７は、前記ハブ鍔部ａ３’よりも若干大形な真円をもって開孔して、注射針ａ１を挿し入れると、注射器本体Ａ１を残して注射針ａ１と共にその注射針ａ１基端に一体的に設けられているハブａ３が容器本体１内に挿入されるようになっている。
【００２１】
容器本体１の蓋、即ち前記内蓋２には、前記針外し孔７の孔下縁から所要高さのリブ１７が下方に起設されている。
前記針外し孔７のリブ１７は、図２等に示すように注射器本体Ａ１を残して注射針ａ１をハブａ３と共に容器本体１内に挿入した後、注射器本体Ａ１の下端縁が内蓋２の表面に係合するように回動させた際、その係合部を支点Ｂ、リブ１７端に係合するハブ鍔部ａ３’を作用点Ｃとするモーメントによって作用点Ｃに生じるベクトル（下向きベクトル）がハブａ３を、注射器Ａ下端のハブ差込筒ａ２から抜取る所要の力をもって作用するように所要の高さをもって周設されている。
【００２２】
また、前記針外し横孔８は、注射器本体Ａ１下端とハブ鍔部ａ３’との間で露呈するハブ差込筒部分ａ２’をスライドガイド可能とする程度の小幅をもって針外し孔７に連通して長孔状に開孔されている。
【００２３】
前記針外し横孔８には、図３に示すように前記する針外し孔７と同様に前記リブ１７に連続して下縁から所要高さのリブ１８を下方に起設して、そのリブ１８端と内蓋２表面との間隔を、注射器本体Ａ１の下端と、ハブ鍔部ａ３’上面との間隔よりも若干小さくなるように設定して、注射器本体Ａ１下端とハブ鍔部ａ３’との間で露呈するハブ差込筒ａ２’部分をスライドさせた後、注射器本体Ａ１の下端縁を内蓋２表面に係合するように同注射器本体Ａ１を前記針外し横孔８上方で交差する方向に下向きに回動した際、前記係合部を支点Ｂ、リブ１８端に係合するハブ鍔部ａ３’を作用点Ｃにしたモーメントのベクトル（下向きベクトル）が注射針ａ１を前記ハブ差込筒ａ２から抜取る所要の力をもって作用するように構成されている。
【００２４】
前記するリブ１７、１８は、内蓋２の肉厚が薄肉の場合、注射器本体Ａ１を下向きに回動すると、大きく回動して、モーメントのベクトル（下向きベクトル）が、ハブａ３を注射器本体Ａ１下端のハブ差込筒ａ２から押下げる方向に所要の力をもって作用しなくなる。それを修正するために設けられている。
そのため、前記作用点Ｃに作用するモーメントのベクトル（下向きベクトル）が、ハブａ３をハブ差込筒ａ２から抜取る方向に所要の抜取り力をもって作用させる必要肉厚をもって前記内蓋２厚が形成されている場合には、前記リブ１７、１８は必要としない。
【００２５】
前記内蓋２と外蓋３とは図４に示す概略図で示すように、外蓋３を時計回り方向に回転させて緊締する構造になっており、内蓋２の側壁部１２外面に、中心を挟んで対称状の位置に掛合突起（後述では図４において左側の掛合突起を第１掛合突起、右側の掛合突起を第２掛合突起と称する）３２、３２を外向き突設する一方、外蓋３の側壁部１３内面に、中心を挟んで１８０度よりも若干狭角をもって一方に前記第２掛合突起３２を乗り越える三角形状の前記掛止爪２３を、他方に回転防止用の突起３３を各々突設している。
【００２６】
前記掛止爪２３は、同図４に示すように内蓋２の曲面に直交するように設けた直立面２３ａと、その直立面２３ａ突端から外蓋３における時計回り方向の側壁部１３部分内面に亘って連設する傾斜面２３ｂとからなる横断面三角形状を呈している。
【００２７】
その図４（ａ）は、外蓋３を内蓋２に緊締していない状態を示し、外蓋３の窓部５に臨む内蓋２部分に前記針外し孔７、針外し横孔８を連通して開孔し、掛止爪２３の直立面２３ａが内蓋２の第１掛合突起３２の時計回り方向側の側面３２ａから若干離間し、回転防止用の突起３３が第２掛合突起３２の時計回り方向側の側面３２ａに当接して、外蓋３の時計回り方向への回転を容認するようになっている。
この状態から時計回り方向に外蓋３を回転すると、図４（ｂ）を経て図４（ｃ）の緊締状態に変化する。この図４（ｃ）は、外蓋３を時計回り方向に１８０度程度に回転させており、三角形状の掛止爪２３が第２掛合突起３２を乗り越えてその直立面２３ａが、その時計回り方向側の側面３２ａに接近または当接すると共に、回転防止用の突起３３が第１掛合突起３２の反時計回り方向側の側面３２ｂに接近または当接して、三角形状の掛止爪２３と、回転防止用の突起３３とが両掛合突起３２、３２間で身動きできずに、外蓋３を内蓋２に対して弛緩不能、即ち逆回転不能にしている。
【００２８】
以上のように構成されているこの実施の形態の注射針用廃棄容器で注射針ａ１を注射器本体Ａ１から抜き取る時には、注射器本体Ａ１がハブ鍔部ａ３’よりも大径な注射器Ａにあっては、注射器本体Ａ１下端が内蓋２表面に突き当るように注射針ａ１を挿し入れ、図２（ａ）（ｂ）（ｃ）に示すよう注射器本体Ａ１を下向きに回動操作によって作用点Ｃに生じるモーメントのベクトル（下向きベクトル）によって注射器本体Ａ１のハブ差込筒ａ２から注射針ａ１を抜き取って落下させる。
そして、注射器本体Ａ１がハブ鍔部ａ３’と同等の大きさや若干小形な注射器Ａにあっては、前記針外し孔７を利用してそのモーメントのベクトル（下向きベクトル）で注射針ａ１を抜取ろうとすると、注射器本体Ａ１が大きく回動して、そのモーメントのベクトル（下向きベクトル）が作用点Ｃに対して注射針ａ１の抜取り方向に所要の抜取り力をもって作用しない虞れがある。
そのため、斯様な注射器Ａにあっては、針外し孔７に同様にハブａ３まで挿し入れた後、図３（ｂ）に示すように注射器本体Ａ１下端とハブａ３との間のハブ差込筒部分ａ２’を針外し横孔８にスライドさせてから、前記針外し横孔８上方で交差するように注射器本体Ａを下向きに回動することによって、同じくモーメントのベクトル（下向きベクトル）を作用点Ｃに所要の抜取り力をもって作用させて、注射器本体Ａ１のハブ差込筒ａ２から注射針ａ１を抜き取り落下させることができる。
そして、容器本体１内が注射針ａ１で充満すると、前記する針外し孔７及び針外し横孔８を外蓋３で被蓋するように外蓋３を内蓋２に対して緊締して、開蓋不能にする。
【実施例２】
【００２９】
次に、図５に示す第２の実施の形態を説明すると、この実施の形態は、前記針外し孔７の孔上縁にテーパー部２７を形成して、そのテーパー部２７の下り勾配による案内作用で針外し孔７への注射針ａ１の挿し入れが楽になるように配慮したものである。
【実施例３】
【００３０】
更に、図６に示す第３の実施の形態を説明すると、この実施の形態は、前記針外し孔７と、針外し横孔８とを別々に形成したものである。
その針外し横孔８にはハブａ３を容器本体１内に挿し入れる任意大きさの注射器挿入孔２８を針外し横孔８に連通して開孔し、その注射器挿入孔２８に注射器Ａをハブａ３まで挿し入れた後、針外し横孔８に注射器Ａをスライド可能に構成している。
【実施例４】
【００３１】
また、図７に示す第４の実施の形態は、容器本体１の変形例を示し、螺嵌式の蓋２１にヒンジ部１０を介して前記針外し孔７を被蓋するフラップ９を上下回動可能に設け、該フラップ９先端のタブ１９を蓋２１に開孔した掛止孔２１ａに掛止可能とする構成にして、容器本体１内が注射針ａ１で充満した時に、そのフラップ９で針外し孔７を被蓋する構成になっている。
無論、針外し横孔８を針外し孔７に連通または別個に有する蓋２１にあっても、前記フラップ９でその針外し横孔８を被蓋できるようにすること言うまでもないものである。
【実施例５】
【００３２】
更に、図８に示す第５の実施の形態は、容器本体１の変形例であり、針外し孔７や針外し横孔８を開孔している蓋を傾斜状にして、椅子に座る自然な作業姿勢のまま注射器Ａを掴む手を伸ばすことによって針外し孔７や注射器挿入孔２８にその注射針ａ１を挿し入れることができるようにしている。
【実施例６】
【００３３】
注射針基端のハブａ３は、注射器メーカーに関わらずそのハブ鍔部ａ３’を円形、略楕円形、横長矩形等に形成している。そして、そのハブ鍔部ａ３’が円形状のものにあっては、概ね直径を６ｍｍ〜８ｍｍ、それ以外のものにあっては短手寸法６ｍｍ以内、長手寸法を８ｍｍ以内にされている。
そして、注射器本体Ａ１下端とハブａ３との間で露呈するハブ差込筒部分ａ２’の筒径最大径は、注射器に関係なく４．４ｍｍ程度。
注射器本体Ａ１下端とハブａ３との間で露呈するハブ差込筒部分ａ２’の長さは、注射器本体Ａ１がハブ鍔部ａ３’よりも大径な注射器にあっては、１．９ｍｍ〜２．１ｍｍ程度、ハブ鍔部ａ３’と注射器本体Ａ１とが同等の大きさまたは若干小形な注射器にあっては、１．１ｍｍ程度であった。
そのため、前記針外し孔７は、その最大寸法８ｍｍよりも０．１〜０．２ｍｍ程度大径をもって開孔し、注射器本体Ａ１を下向きに回動させた同注射器本体Ａ１の下端縁が係合する内蓋２表面部分と、ハブ鍔部ａ３’が係合する内蓋２裏面部分の間隔、即ち支点作用点間高低差を１．８ｍｍに設定した。
また、前記針外し横孔８においては、４．５ｍｍ程度の幅寸法をもって開孔し、その支点作用点高低差を１ｍｍに各々設定し、注射針の抜取り効果について実験を行った。
尚、前記のように支点作用点間高低差が１．８ｍｍ、１ｍｍと相違しているため、針外し横孔８部分については、針外し孔７部分に対して段差を設けて支点作用点高低差を前記１ｍｍに小さく設定した。
それによると、針外し孔７、針外し横孔８どちらとも注射器本体Ａ１を下向きに回動させた結果、容器本体１を片手で支えずとも簡単にハブ差込筒ａ２’から注射針ａ１を抜取ることができるものであった。これは、回動角度４５度以内で、注射器本体Ａ１の下端が内蓋２表面に係合すると共に、ハブ鍔部ａ３’が内蓋２裏面に係合し作用点になって、モーメントの大きな下向きベクトルがその作用点に集中するためと推測される。
この実験例は、あくまで一例であり、前記回動角度は小さな角度の方が、モーメントの、より大きな下向きベクトルが作用点であるハブ鍔部に作用するため好ましいこと言うまでもないものである。
【図面の簡単な説明】
【００３４】
【図１】第１の実施の形態の注射針用廃棄容器の斜視図で、注射器本体がハブ鍔部よりも大径な注射器のその注射針を針外し孔に挿し入れる状態を示す。
【図２】図１の（２）−（２）線拡大断面図で蓋部分を示し、（ａ）は、針外し孔に注射針を挿し込み、注射器本体を下向きに回動させた状態を示す、（ｂ）は、作用点Ｃに作用するモーメントのベクトルで注射針を注射器本体から抜取る状態を示す、（ｃ）は、完全に抜取られた状態を示す。
【図３】ハブ鍔部に対して注射器本体が同等径または若干小径な注射器のその注射針と針外し横孔との関係図であり、（ａ）は、その注射針を針外し横孔に挿し入れる状態を示す、（ｂ）は作用点に作用するモーメントのベクトルで注射針を注射器本体から抜取る状態を示す。
【図４】外蓋と内蓋との関係を概略的に示す平面図で、（ａ）は、弛緩時の外蓋の内蓋との関係を示す、（ｂ）は、外蓋を時計回り方向に回転している状態を示す、（ｃ）は、緊締時の外蓋と内蓋との関係を示す。
【図５】第２の実施の形態の注射針用廃棄容器の要部の断面図。
【図６】第３の実施の形態の注射針用廃棄容器の平面図。
【図７】第４の実施の形態の注射針用廃棄容器の縦断面図。
【図８】第５の実施の形態の注射針用廃棄容器の正面図で一部切欠して示す。
【符号の説明】
【００３５】
１：容器本体              ２：蓋（内蓋）
７：針外し孔              ８：針外し横孔
Ａ：注射器              Ａ１：注射器本体
ａ２：ハブ差込筒          ａ３：ハブ
ａ３’：ハブ鍔部              Ｂ：支点
ａ１：注射針            ａ２”：差込孔
Ｃ：作用点              ２８：注射器挿入孔
ａ２’：注射器本体下端とハブとの間で露呈するハブ差込筒部分
【図１】
2006014855.tif 000003
【図２】
2006014855.tif 000004
【図３】
2006014855.tif 000005
【図４】
2006014855.tif 000006
【図５】
2006014855.tif 000007
【図６】
2006014855.tif 000008
【図７】
2006014855.tif 000009
【図８】
2006014855.tif 000010